(57)【要約】【課題】スタンバイ時のデフォルト設定を、テンキーダイヤルを有していないハンドセットを鳴動設定とし、内部給電をオフにしている状態でユーザがハンドセットを持ちあげると、操作部にテンキーダイヤル画面を表示して相手先の電話番号の入力を可能にするためにリレーをオンにしてハンドセットと回線とを切り離す。このとき内部給電がオフされているため、オフフック検出部はハンドセットがオンフックされたと誤認識してしまう。【解決手段】本発明のファクシミリ装置とその制御方法は、電話機と電話回線との接続を、接続と遮断との間で切り替えるとともに、その電話機に給電する給電手段を有し、電話機と前記電話回線とが接続されて前記給電手段からの給電が停止している状態で、接続された電話機のオフフック及びオンフックを検出する検出手段により電話機のオフフックが検出されると、給電手段による電話機への給電を開始するよう制御する。【選択図】  図４
2019047347.tif 000002
【特許請求の範囲】
【請求項１】
接続された電話機のオフフック及びオンフックを検出する検出手段と、
前記電話機と電話回線との接続を、接続と遮断との間で切り替える切替手段と、
前記切替手段を介して前記電話機に給電する給電手段と、
前記切替手段により前記電話機と前記電話回線とが接続されて前記給電手段からの給電が停止している状態で、前記検出手段により前記電話機のオフフックが検出されると前記給電手段による前記電話機への給電を開始するよう制御する制御手段と、
を有することを特徴とするファクシミリ装置。
【請求項２】
前記電話回線を介して相手機とファクシミリ通信を行うモデムを更に有し、
前記制御手段は、前記検出手段により前記電話機のオフフックが検出されてダイヤル入力があると前記モデムにより前記電話回線を捕捉させて前記切替手段により前記電話機と前記電話回線との接続を遮断し、前記検出手段により前記電話機のオンフックが検出されると前記モデムによりダイヤル信号を送出させた後、前記切替手段により前記電話機と前記電話回線とを接続することを特徴とする請求項１に記載のファクシミリ装置。
【請求項３】
前記制御手段は、前記検出手段により前記電話機のオフフックが検出されると前記給電手段による前記電話機への給電を開始するようにユーザに設定するよう促す画面を表示し、当該画面を介したユーザの設定に従って前記給電手段による前記電話機への給電を開始するよう制御することを特徴とする請求項１又は２に記載のファクシミリ装置。
【請求項４】
前記制御手段は、前記検出手段により前記電話機のオフフックが検出されると前記給電手段による前記電話機への給電を行う設定値を保存し、当該設定値に基づいて前記給電手段による前記電話機への給電を開始するよう制御することを特徴とする請求項１又は２に記載のファクシミリ装置。
【請求項５】
前記制御手段は、前記検出手段により前記電話機のオフフックが検出されると前記給電手段による前記電話機への給電を開始した後、前記検出手段により前記電話機のオンフックが検出されると前記給電手段による前記電話機への給電を停止することを特徴とする請求項１に記載のファクシミリ装置。
【請求項６】
前記電話機の鳴動或いは無鳴動を設定する鳴動設定手段と、
前記給電手段による前記電話機への給電を設定する給電設定手段と、を更に有し、
前記電話機と前記電話回線とが接続されて前記給電手段からの給電が停止している状態は、前記鳴動設定手段が前記電話機の鳴動を設定し、前記給電設定手段が、前記給電手段による前記電話機への給電をしないように設定した状態であることを特徴とする請求項１乃至５のいずれか１項に記載のファクシミリ装置。
【請求項７】
前記検出手段は、前記電話機が鳴動設定のときは、前記電話回線から供給される電力に基づいて前記電話機のオフフック及びオンフックを検出し、
前記電話機が無鳴動の設定のときは、前記給電手段からの前記電話機への給電に基づいて前記電話機のオフフック及びオンフックを検出することを特徴とする請求項１乃至６のいずれか１項に記載のファクシミリ装置。
【請求項８】
ファクシミリ装置を制御する制御方法であって、
接続された電話機のオフフック及びオンフックを検出する検出工程と、
前記電話機と電話回線との接続を、接続と遮断との間で切り替える切替工程と、
前記電話機に給電する給電工程と、
前記切替工程で前記電話機と前記電話回線とが接続されて前記給電工程による給電が停止している状態で、前記検出工程で前記電話機のオフフックが検出されると前記給電工程による前記電話機への給電を開始するよう制御する制御工程と、
を有することを特徴とする制御方法。
【請求項９】
コンピュータに、請求項８に記載の制御方法の各工程を実行させるためのプログラム。
【発明の詳細な説明】
【技術分野】
【０００１】
本発明は、ファクシミリ装置とその制御方法、及びプログラムに関するものである。
【背景技術】
【０００２】
近年、プリント、コピー等の機能に加えて、ファクシミリ通信機能、ハンドセット（テンキーの無い外付け電話機）による通話機能を備えた複合機が広く普及している。ファクシミリ通信を行うために複合機をＰＳＴＮ（Ｐｕｂｌｉｃ  Ｓｗｉｔｃｈｅｄ  Ｔｅｌｅｐｈｏｎｅ  Ｎｅｔｗｏｒｋ：公衆電話網）に接続し、送信側から着信側へ発呼すると電話会社の交換機から着信側へ呼出信号が送出される。いま着信側が複合機で、その複合機にハンドセットを接続した場合、着信時にハンドセットが鳴動する設定を鳴動設定、鳴動しない設定を無鳴動設定と呼ぶ。無鳴動設定では、リレーを用い、そのリレーをオンすることにより、ハンドセットを電話回線から切り離す制御が行われる。ハンドセットが電話回線から切り離されると電話回線から直流電圧が給電されないので、代わりに複合機の内部から直流を給電して、ハンドセットのオフフックを検出する。一方、鳴動設定では、リレーをオフすることにより、ハンドセットを電話回線に接続する制御が行われる。この場合は、電話回線からハンドセットに直流電圧が給電されるので、リレーをオフしていてもハンドセットのオフフックを検出できる。このようにユーザの用途に合わせて無鳴動設定と鳴動設定を変更して利用する。
【０００３】
着信時にハンドセットが鳴動し、ユーザがハンドセットをオフフックして着信音を聞きファクシミリの着信か通話かを判断したい場合は、鳴動設定で利用することが多い。一方、着信時にハンドセットは鳴動せず、ファクシミリを自動受信したい場合やファクシミリ通信か相手との通話かを自動判定し、通話の場合にハンドセットを鳴動させるＦＡＸＴＥＬ切り替えの場合は、無鳴動設定で利用することが多い。
【０００４】
また消費電力を抑える省電力の要望の広まりを受けて、複合機を操作可能なスタンバイ時でも、その複合機をできるだけ低消費電力で待機させておく必要性が高まってきている。例えば特許文献１には、鳴動設定が指示されると、内部給電をオフし、かつリレーをオフ（電話機を回線に接続）にして消費電力を削減する制御方法が記載されている。
【先行技術文献】
【特許文献】
【０００５】
【特許文献１】特開２０１６−２２５９３６号公報
【発明の概要】
【発明が解決しようとする課題】
【０００６】
しかしながら上記引用文献１では、鳴動設定が指示されると、鳴動設定時にハンドセットを持ち上げてテンキーダイヤルで発呼する際、以下の課題が発生する。ユーザがファクシミリ装置で電話番号を入力すると、モデムやＳＤＡＡ（シリコンＤＡＡ）を制御してダイヤル信号を送出するが、その前に行う制御が存在する。まずモデムやＳＤＡＡで直流捕捉を行う。ハンドセットが電話回線に接続されたままでＤＴＭＦ信号を送出すると送出レベルに影響するため、上記リレーをオンしてハンドセットを電話回線から切り離す制御が、ダイヤル信号を送出する前に行われる。パルスダイヤルでも波形に影響するため、同様である。リレーをオンすると、ハンドセットは電話回線から切り離されるため、ハンドセットへの給電はオフされて、ハンドセットのオフフック検出部の電流が遮断される。この点が上記引用文献１では考慮されていない。
【０００７】
次世代のファクシミリ装置では、省電力のために、スタンバイ時のデフォルト設定を、テンキーダイヤルを有していないハンドセットを鳴動設定とし、内部給電をオフにすることが検討されている。この状態でユーザがハンドセットを持ちあげると、ファクシミリ装置本体の操作部にテンキーダイヤル画面を表示して、相手先の電話番号の入力を可能にする。このテンキーを使用してダイヤルを入力するとモデムがダイヤル信号を送出するが、その最中にハンドセットの影響を受けないようリレーをオンにしてハンドセットと回線とを切り離す。このとき内部給電がオフされているため、オフフック検出部はハンドセットがオンフックされたと誤認識してしまう。この誤認識により、途中でダイヤル入力がキャンセルされてしまい、ユーザは、所望の相手と通話ができなくなる。
【０００８】
本発明の目的は、上記従来技術の課題を解決することにある。
【０００９】
本発明の目的は、電話機と電話回線とが接続されて、電話機への給電が停止している状態で、ユーザがハンドセットをオフフックしてダイヤル入力できるようにする技術を提供することにある。
【課題を解決するための手段】
【００１０】
上記目的を達成するために本発明の一態様に係るファクシミリ装置は以下のような構成を備える。即ち、
接続された電話機のオフフック及びオンフックを検出する検出手段と、
前記電話機と電話回線との接続を、接続と遮断との間で切り替える切替手段と、
前記切替手段を介して前記電話機に給電する給電手段と、
前記切替手段により前記電話機と前記電話回線とが接続されて前記給電手段からの給電が停止している状態で、前記検出手段により前記電話機のオフフックが検出されると前記給電手段による前記電話機への給電を開始するよう制御する制御手段と、を有することを特徴とする。
【発明の効果】
【００１１】
本発明によれば、電話機と電話回線とが接続されて、電話機への給電が停止している状態で、ユーザがハンドセットをオフフックしてダイヤル入力できる効果がある。
【００１２】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１３】
添付図面は明細書に含まれ、その一部を構成し、本発明の実施形態を示し、その記述と共に本発明の原理を説明するために用いられる。
【図１】本発明の実施形態１に係る複合機の構成を説明するブロック図。
【図２】実施形態１に係る複合機の設定がスタンバイ時、無鳴動、内部給電がオンのときのコントローラ部とファクシミリユニットの構成を説明するブロック図。
【図３】実施形態１に係る複合機の設定がスタンバイ時、鳴動、内部給電がオフの設定のときのコントローラ部とファクシミリユニットの構成を説明するブロック図。
【図４】実施形態１に係る複合機がスタンバイ時、内部給電がオフの設定で、かつ鳴動設定のときの処理を説明するフローチャート。
【図５】実施形態２に係る複合機がスタンバイ時、内部給電がオフの設定で、かつ鳴動設定のときの処理を説明するフローチャート。
【図６】実施形態３に係る複合機がスタンバイ時、内部給電がオフの設定で、かつ鳴動設定のときの処理を説明するフローチャート。
【図７】実施形態１に係る複合機における、内部給電とリレーの状態を説明するタイムチャート。
【図８】実施形態２に係る複合機において、Ｓ５０７で表示される注意画面例を説明する図。
【図９】実施形態３に係る複合機における、内部給電とリレーの状態を説明するタイムチャート。
【図１０】実施形態１に係る複合機のＨＤＤに記憶されている受信モード、鳴動設定、及び内部給電の設定値を登録しているテーブルの一例を示す図。
【図１１】従来例における内部給電とリレーの状態を示すタイムチャート。
【図１２】実施形態１に係る複合機の操作部の表示器に表示されるファクシミリの設定画面の一例を示す図。
【発明を実施するための形態】
【００１４】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１５】
図１は、本発明の実施形態１に係るファクシミリ通信機能を含む複合機１０１の構成を説明するブロック図である。
【００１６】
この複合機１０１は、ファクシミリ通信機能を含み、コピー機能、ＬＡＮ（Ｌｏａｃｌ  Ａｒｅａ  Ｎｅｔｗｏｒｋ）等のネットワークを介してＰＣ等からの印刷ジョブを受信して印刷するプリント機能等を有する。コントローラ部（制御部）１０２は、この複合機１０１の各部を制御しており、複合機１０１の画像処理動作、データの送受信、データの変換、データの保存、電力制御等を行う。操作部１０３は、ユーザが各種の操作を行うための操作パネル、及び操作情報を表示するための表示器を備え、この複合機１０１のＵＩ（ユーザインターフェース）を提供している。スキャナ部１０４は、原稿の画像をスキャンし、その画像データをコントローラ部１０２に入力する。プリンタ部１０５は、コントローラ部１０２で処理された様々な種類の画像データに基づいて画像を印刷して出力する。ネットワークケーブル１０６はＬＡＮに接続されている。ファクシミリユニット１０７は、電話回線１０８経由でＰＳＴＮ内に存在する交換機（図示せず）に接続されている。また交換機に直接接続せず、構内交換機や光ルータのアナログポートに接続されても良い。複合機１０１のファクシミリユニット１０７に設けられたハンドセット接続端子にハンドセット１０９を接続し、通話相手とハンドセット１０９で通話する事や通話後にファクシミリ通信に切り換えて所望の処理を行う。ハンドセット１０９は、電話回線１０８に直接接続可能で、オフフックされると回線を捕捉し、オンフックされると回線切断を行う機能を持つが、ここでは電話番号を入力するテンキーを有しない外部電話機としている。ハンドセット１０９をユーザが持ち上げると、複合機１０１の操作部１０３の表示がテンキーダイヤル画面に遷移する。ユーザが操作部１０３で電話番号を指示すると、ファクシリミリユニット１０７のモデム２１１（図２）によりＤＴＭＦ送出などの制御を行い交換機へ電話番号を送出する。そして交換機より相手電話機を呼出し、相手が応答すると通話できる。
【００１７】
第一の電源１１０、第二の電源１１１は、電源プラグ１１２から供給される交流の商用電源を、複合機１０１の各部で使用する直流電圧に変換する。ここで、通常動作モード（スタンバイとも呼ぶ）では、第一の電源１１０、第二の電源１１１からの電源は各部に供給されている。一方、省電力モードに移行した際には、第二の電源１１１は、コントローラ部１０２から出力される電源制御信号１１３によって、その電源出力はオフされる。
【００１８】
省電力モードで、外部装置からコントローラ部１０２に対してジョブの受信があった場合、コントローラ部１０２は、省電力モードからスタンバイに移行するために電源制御信号１１３を切替えることで第二の電源１１１の電源出力をオンにする。
【００１９】
図２は、実施形態１に係る複合機１０１のコントローラ部１０２とファクシミリユニット１０７の構成を、より詳しく説明するブロック図である。ここでは特に、複合機１０１の設定を、スタンバイ時無鳴動（Ｈリレー２１４オン）、内部給電をオン（電話電源供給部２１５から直流２４Ｖを給電）に設定した状態を示す。
【００２０】
コントローラ部１０２の画像処理部２０１は、その内部に制御用のＣＰＵ２２０、ＲＯＭ２２１、ＲＡＭ２２２、画像処理回路、各種Ｉ／Ｆ回路を有する。ＣＰＵ２２０はＲＯＭ２２１或いはＨＤＤ２０２に格納されているプログラムをＲＡＭ２２２２に展開して実行することにより後述する各種制御を行う。例えばＣＰＵ２２０は、コピー、プリント、ファクシミリ、スキャン等の各種処理モードに従って、それぞれ対象となるユニットに応じたデータのやり取り、制御を行い、所望の画像処理や制御を実行して、この複合機１０１の動作を制御している。
【００２１】
ＨＤＤ（ハードディスクドライブ）２０２は、複合機１０１の制御プログラムや画像データの保存領域や作業領域として利用される。ファクシミリ受信時に、受信画像データはＨＤＤ２０２に保存される。また複合機１０１の各種設定もＨＤＤ２０２に保存される。複合機１０１のスタンバイ時の鳴動設定、内部給電の設定を操作部１０３の指示により設定し、ＨＤＤ２０２に保存することができる。
【００２２】
図１２は、実施形態１に係る複合機１０１の操作部１０３の表示器に表示されるファクシミリの設定画面の一例を示す図である。
【００２３】
この設定画面例のように、ユーザ或いはサービスマンは、鳴動設定を「無鳴動」或いは「鳴動」、内部給電の設定を「する」或いは「しない」に設定してＨＤＤ２０２に保存することができる。また受信モードを「自動受信」或いは「ＦＡＸＴＥＬ切り替え」或いは「手動受信」のいずれかに設定してＨＤＤ２０２に保存することができる。
【００２４】
図１０は、実施形態１に係る複合機１０１のＨＤＤ１０２における受信モード、鳴動設定、及び内部給電の設定値を登録しているテーブルの一例を示す図である。
【００２５】
鳴動設定を無鳴動にすると鳴動設定値は「１」に、鳴動にすると鳴動設定値は「０」で保存され、ＣＰＵ２２０は、その保存された値を読みだして制御を変更することができる。また内部給電設定を「する」に設定すると、内部給電設定値は「１」に、内部給電設定を「しない」に設定すると内部給電設定値は「０」で保存される。また受信モードが自動受信に設定されると受信モード設定値は「０」、ＦＡＸＴＥＬ切替えに設定されると受信モード設定値は「１」、手動受信に設定されると受信モード設定値は「２」となる。尚、ＨＤＤ２０２の代わりに画像処理部２０１内部の不揮発メモリ（不図示）に保存する構成としても良い。
【００２６】
スキャナＩ／Ｆ２０３、プリンタＩ／Ｆ２０４、操作部Ｉ／Ｆ２０５は、それぞれスキャナ部１０４、プリンタ部１０５、操作部１０３に接続するためのＩ／Ｆ（インターフェース）を示している。ＬＡＮコントローラ２０６は、ネットワークケーブル１０６経由でＬＡＮに接続され外部装置と通信するためのＬＡＮコントローラである。
【００２７】
呼出信号検出部２１０は、電話回線１０８を介して到来する交流７５Ｖ、１６Ｈｚ程度の電話の呼出信号を絶縁して通常のデジタル回路で受信できるよう変換する。呼出信号検出部２１０には、フォトカプラなどの電気部品を利用することができ、一定電圧以上の交流信号が印加されると呼出信号検出部２１０からコントローラ部１０２の割り込み判定部２０７へ、その呼出信号を整形した信号が入力される。交換機は通常の呼出信号を送出する前に直流４８Ｖの極性を反転した後、呼出信号を１秒オン、２秒オフを１セットとする周期で呼び出しを行う。そして交換機は、そのオン時間の間、７５Ｖ、１６Ｈｚの交流信号を直流４８Ｖに重畳して送出する。また交換機は、オフ時間の間、直流４８Ｖを維持する。そして、ファクシミリが回線を捕捉すると、交換機は呼び出し信号を停止し、送信側と着信側は回線接続されて通信できるようになる。
【００２８】
モデム２１１は、電話回線１０８を介して相手機とファクシミリ通信を行い、ＣＰＵ２２０により制御される。モデム２１１と画像処理部２０１はＩ／Ｆを介して接続され、画像処理部２０１とモデム２１１との間のＩ／Ｆは、シリアルバス或いはパラレルバスを用いる。またモデム２１１は、ファクシミリ信号の変調、復調を行うとともに、画像データの送信、受信、トーン検出、ＤＴＭＦ検出を行う。また電話回線の１次と２次をトランスで絶縁して音声帯域の信号を伝達し、電話回線の直流捕捉をＣＭＬ（Ｃｏｎｎｅｃｔ  Ｍｏｄｅｍ  to Ｌｉｎｅ）リレー制御で行う回路構成をとることも可能である。また電話回線１０８の１次側には、ＳＤＡＡ（Ｓｉｌｉｃｏｎ  Ｄａｔａ  Ａｃｃｅｓｓ  Ａｒｒａｎｇｅｍｅｎｔ）と呼ばれるＡ／Ｄ、Ｄ／Ａを行う半導体を配置し、かつトランジスタを制御することにより直流捕捉を行う方式でも良い。Ａ／Ｄはアナログデジタル変換、Ｄ／Ａはデジタルアナログ変換の略である。回線１次側に配置するＳＤＡＡと２次側に配置するＩＣ（図示せず）をまとめてモデム２１１として実施形態では扱う。回線の１次側に配置するＳＤＡＡと２次側に配置するＩＣ（図示せず）との間にインダクタ或いはコンデンサで形成される絶縁回路を配置して、絶縁及び信号伝達を行う。
【００２９】
信号２１２は、交換機から送出される呼出信号を呼出信号検出部２１０で整形して出力される信号であり、これを以後、ＣＩ信号２１２と呼ぶ。割り込み判定部２０７に入力されたＣＩ信号２１２をＣＰＵ２２０がリードして呼び出し信号の周波数やオン、オフ時間を判定して呼び出し信号が到来したかを判定することができる。またＣＩ信号２１２をポート制御部２１３に並列に入力して、ＣＰＵ２２０はポート制御部２１３をリードすることで、呼び出し信号の周波数やオン、オフ時間を判定して呼び出し信号が到来したかを判定しても良い。
【００３０】
ポート制御部２１３は、ＧＰＩＯ（General Purpose Input Output）機能を持つＩＣやＬＳＩを利用することができる。またＣＰＵ２２０は、ポート制御部２１３の出力ポートを制御して、Ｈリレー２１４や電話電源供給部２１５を制御する。Ｈリレー２１４をポート制御部２１３が直接駆動できない場合は、それらの間にトランジスタを挿入しても良い。
【００３１】
Ｈリレー２１４は、複合機１０１を無鳴動設定とした時、スタンバイ時にリレーをオンすることでハンドセット１０９を電話回線１０８から切り離す制御が行われる。リレーをオン状態に保つと、その間、約０．２Ｗの電力を消費する。複合機１０１を鳴動設定とした時、リレーをオフすることで、ハンドセット１０９を電話回線１０８に接続する制御が行われる。Ｈリレー２１４をオフすると、ＦＡＸ受信であってもハンドセット１０９が鳴動してしまうが、約０．２Ｗ消費電力を削減できる。
【００３２】
オフフック検出部２１６は、ハンドセット１０９のオフフックを検出する。電話回線１０８の電圧を絶縁し、通常のデジタル回路で受信できるよう変換した信号を出力する。オフフック検出部２１６にはフォトカプラなどを利用することができる。Ｈリレー２１４をオフしていると交換機から約４８Ｖの直流電圧が給電されており、オフフック時にハンドセット１０９が日本では５０〜３００Ωの抵抗値となり、フォトカプラに約２０ｍＡ以上電流が流れることで持ち上げを検知する。オンフック時にハンドセット１０９が１ＭΩ以上の抵抗値となり、フォトカプラの電流が遮断されることで、ハンドセット１０９が置き台に置かれたことを検知する。
【００３３】
信号２１７は、オフフック検出部２１６で整形した出力信号であり、これを以後、フック信号２１７と呼ぶ。オフフック検出部２１６からコントローラ部１０２の割り込み判定部２０７へ信号２１７が入力されて、オフフックが発生したことを検知できる。フック信号２１７をポート制御部２１３に並列に入力して、ＣＰＵ２２０はポート制御部２１３をリードすることで、ハンドセット１０９が持ち上げ状態（オフフック）か、置き台に置かれた状態（オンフック）かを判定しても良い。
【００３４】
電話電源供給部２１５は、Ｈリレー２１４をオンしたときは電話回線１０８から電力が給電されないので、代わりに電話電源供給部２１５から電力を供給することができる。電話電源供給部２１５は、絶縁されたＤＣＤＣコンバータなどを用いて、ポート制御により＋２４Ｖ出力、停止、−１５０Ｖ出力を制御するよう構成することができる。スタンバイ時は、複合機１０１の電話電源供給部２１５から直流２４Ｖが給電され、ハンドセット１０９のオフフック（持ち上げ）を検出できる。またＦＡＸＴＥＬ切替えモードに設定すると、電話電源供給部２１５から直流２４Ｖを給電するが、着信処理の際にＣＰＵ２２０がファクシミリ通信か相手との通話かを自動判定する。通話と判定された場合、ハンドセット１０９を鳴動させる疑似的な呼び出し信号（例えば＋２４Ｖと−１５０Ｖを一定周期で変化させる）を電話電源供給部２１５から発生させる構成にしても良い。電話電源供給部２１５をオンして＋２４Ｖを出力すると、その間、約１Ｗの電力を消費する。電話電源供給部２１５を停止すると、ハンドセット１０９のオフフックを検出できなくなるが、約１Ｗの消費電力を削減できる。消費電力の削減値は回路構成によって異なる。
【００３５】
割り込み判定部２０７は、画像処理部２０１を含むコントローラ部１０２を省電力モードから起動させる起動要因を検出する回路である。割り込み判定部２０７は、呼出信号検出部２１０と接続されており、呼び出し信号に変化があるとＣＩ信号２１２が変化する。割り込み判定部２０７は、オフフック検出部２１６と接続されており、ハンドセット１０９をオフフックするとフック信号２１７が変化する。省電力モードの場合、電源制御信号１１３を制御して第二の電源１１１をオンさせる。一旦、第二の電源１１１をオンさせると、その後ＣＩ信号２１２が変化を繰り返しても割り込み判定部２０７は無視して電源制御信号１１３の状態を維持する。その後、ＣＰＵ２２０が再度、省電力モードへ移行するまで、呼出し信号を割込み起動要因としては扱わない。ＣＰＵ２２０は、割り込み判定部２０７の信号状態をリードすることで電話回線からの呼び出しがあるかを判定することもできる。
【００３６】
スタンバイ時に供給される電源は、第一の電源１１０及び第二の電源１１１から複合機１０１の全てに供給され、全ての機能が使用できる。省電力モードでは、第一の電源１１０から図１、図２で図示された一部に供給され、起動要因を検出可能なごく一部のみの通電状態となる。スタンバイ時から省電力モードへの移行は、一定時間ジョブが無い等、規定の条件を満たしたときに、ＣＰＵ２２０により実施される。コントローラ部１０２から出力される電源制御信号１１３で第二の電源１１１をオフすることで省電力モードに移行する。
【００３７】
図３は、実施形態１に係る複合機１０１のコントローラ部１０２とファクシミリユニット１０７の構成を、より詳しく説明するブロック図である。ここでは特に、複合機１０１の設定を、スタンバイ時、鳴動（Ｈリレー２１４オフ）、内部給電をオフ（電話電源供給部２１５からの給電をオフ）に設定した状態を示す。尚、図３において、図２と同じ部分は同じ参照番号で示し、その説明を省略する。
【００３８】
図４は、実施形態１に係る複合機１０１がスタンバイ時、内部給電がオフの設定で、かつ鳴動設定のときの処理を説明するフローチャートである。尚、このフローチャートで示す処理は、ＣＰＵ２２０がＲＯＭ２２１或いはＨＤＤ２０２に格納されているプログラムをＲＡＭ２２２に展開して実行することにより達成される。
【００３９】
この処理は、複合機１０１が電源オンされて、起動時の初期化が行われた状態で開始される。まずＳ４０１でＣＰＵ２２０は、ＨＤＤ２０２に保存されたファクシミリの受信モード設定値、鳴動設定値、内部給電の設定値を読み出し、その設定値に応じてファクシミリの初期設定を行ってスタンバイ動作に移行する。尚、ＨＤＤ２０２ではなく画像処理部２０１の内部フラッシュメモリに保存されている場合、そちらから読み出しを行う。
【００４０】
実施形態１では、受信モードを自動受信、鳴動設定を鳴動、内部給電設定をしない設定で動作を説明する。鳴動設定が「鳴動」であればＣＰＵ２２０は、Ｈリレー２１４をオフする。また内部給電の設定が「しない」であるため、ＣＰＵ２２０は電話電源供給部２１５の電源出力を停止する。Ｈリレー２１４をオフすると、図３に示すように、ハンドセット１０９は電話回線１０８に接続され、交換機からの直流給電（通常４８Ｖ）によりハンドセット１０９の持ち上げをオフフック検出部２１６で検知することができる。
【００４１】
次にＳ４０２に進みＣＰＵ２２０は、内部給電の設定値をリードして内部給電を「する」設定かを判定する。ここで内部給電を「する」と判定すると、特徴となる処理は不要であるためＳ４０３へ処理を進る。Ｓ４０３でＣＰＵ２２０は、従来のスタンバイ時に実施しているジョブ待ち受け処理を継続する。内部給電設定値が変更されるまで、処理に変更は無い。もし内部給電設定値が変更されると、ＣＰＵ２２０の処理はＳ４１８に進んで一度終了した後、Ｓ４０１へ移行して再度、処理を開始する。
【００４２】
一方、Ｓ４０２でＣＰＵ２２２０は、内部給電をしないと判定した場合はＳ４０４へ処理を進める。Ｓ４０４でＣＰＵ２２０は、呼出信号の変化を検出したかを判定する。ここで呼出信号の変化があったと判定するとＳ４０５へ処理を進め、そうでないときはＳ４０６へ処理を進める。Ｓ４０５でＣＰＵ２２０は、着信処理を行う。ここでの従来の着信処理と同じであり、ＦＡＸ受信などの着信処理が終了後、ＣＰＵ２２０はＳ４１８に進んで一連の処理を終了させた後、Ｓ４０１へ移行して、再度スタンバイ状態を開始する。
【００４３】
Ｓ４０６でＣＰＵ２２０は、ハンドセット１０９のオフフック（持ち上げ）検知があったかを判定する。オフフック検知があったと判定するとＳ４０７へ処理を進め、オフフック検知が無いと判定するとＳ４０４へ処理を進める。Ｓ４０７は実施形態１の特徴となる処理であり、ＣＰＵ２２０は、内部給電の設定とは関係なく内部給電をオンする制御を行う。このときＣＰＵ２２０は、ポート制御部２１３を制御し、電話電源供給部２１５から直流２４Ｖの給電を開始させる。そして直流電圧が安定した後に、Ｈリレー２１４がオンされている時のハンドセットのオフフック（持ち上げ）を検出できる。交換機は直流４８Ｖを給電することが多いが、電話電源供給部２１５から直流２４Ｖを給電しても、持ち上げ時にオフフック検出部２１６に閾値以上の電流が流れるため問題ない。そして操作部１０３に「電話番号を入力して下さい」とテンキーダイヤル画面を表示して、ユーザに電話番号の入力を促す。これによりユーザは、操作部１０３のテンキーやタッチパネルを用いて、電話番号を入力して指示することができる。そしてＣＰＵ２２０の処理はＳ４０８に移行する。
【００４４】
Ｓ４０８でＣＰＵ２２０は、ハンドセット１０９のオンフック（置いた事の）検知があったか、或いは送受信指示があったか、或いはダイヤル終了指示があったかを判定する。ユーザがハンドセット１０９を置くか、操作部１０３から送受信指示を行う、ダイヤル終了キーを押下する等、これ以上、モデム２１１からダイヤル送出をしないとユーザが指示したかを判定する。ダイヤルキャンセルの指示を早期に反映させるために、Ｓ４０８の判定は、Ｓ４１１〜Ｓ４１７の間、バックグラウンドで常に並列に行うように構成しても良い。ハンドセット１０９のオンフック検知或いは送受信指示、或いはダイヤル終了指示があったと判定すると、ＣＰＵ２２０の処理はＳ４０９に移行し、そうでなければＳ４１１に移行する。Ｓ４０９の処理は、実施形態１の特徴となる処理であり、ＣＰＵ２２０は、内部給電の設定とは関係なく内部給電をオフする制御を行う。ハンドセット１０９を置く、或いはＦＡＸ送信、或いは受信指示を行う、或いはダイヤル終了指示を行う等、これ以上モデム２１１からダイヤル送出をしないとユーザが指示した時に、このステップに移行してくる。ＣＰＵ２２０は、ポート制御部２１３を制御し、電話電源供給部２１５をオフして内部給電を停止する。これによりＨリレー２１４がオンされている時のハンドセットのオフフック（持ち上げ）を検出できなくなるが、当初Ｓ４０１で設定されていた状態に戻るので消費電力を低減できる。そして直流電圧が一定電圧まで下がり安定した後に、ＣＰＵ２２０の処理はＳ４１０へ移行する。Ｓ４１０でＣＰＵ２２０は、終了処理を行う。ハンドセット１０９を置く、或いはダイヤル終了指示を行って、ダイヤルをキャンセルした場合、操作部１０３をスタンバイ状態に戻す。或いはＦＡＸ送信を指示された場合、ＦＡＸ送信処理を実施する。或いはＦＡＸ受信を指示された場合、ＦＡＸ受信処理を実施する。Ｓ４１０の処理は従来行っているダイヤルキャンセルの画面遷移或いはＦＡＸ送信或いはＦＡＸ受信と同様となる。ＦＡＸ送信であれば、ＣＰＵ２２０はモデム３０５による回線捕捉後、ハンドセット１０９により送出レベルが影響を受けるため、Ｈリレー２１４をオンし、ハンドセット１０９を電話回線１０８から切り離す。そしてＣＰＵ２２０はモデム３０５を制御してＦＡＸ送信処理を行う。ＦＡＸ受信でも同様である。指示された処理が終了するとスタンバイ状態に戻るためにＣＰＵ２２０の処理はＳ４１８に進んで終了する。
【００４５】
Ｓ４１１でＣＰＵ２２０は、操作部１０３からダイヤル入力があったかを判定する。ユーザが操作部１０３のテンキーやタッチパネルを用いて、電話番号を入力したと判定するとＳ４１２に処理を進め、電話番号が入力されていないと判定するとＳ４０８に処理を進める。Ｓ４１２でＣＰＵ２２０は、モデム２１１による回線捕捉処理を行う。ユーザが電話番号を入力した時、モデム２１１からダイヤル信号を送出するために、このステップに移行してくる。そしてＳ４１３に進みＣＰＵ２２０は、Ｈリレー２１４をオンする処理を行う。これは、ハンドセット１０９が電話回線１０８に接続されたままでモデム２１１からＤＴＭＦ信号を送出すると送出レベルに影響するため、Ｈリレー２１４をオンしてハンドセット１０９を電話回線１０８から切り離すためである。パルスダイヤルの場合でも波形に影響するため同様の処理を行う。そしてＳ４１４に進みＣＰＵ２２０は、ハンドセット１０９のオンフック（置いた事の）を検知したかを判定する。ここでハンドセット１０９のオンフックを検知するとＳ４０９に進み、そうでなければＳ４１５に処理を進める。
【００４６】
ここで、もし実施形態１の特徴となるＳ４０７の制御を行なわないと、Ｓ４１４に移行した時点で以下の課題が発生する。この課題について図１１を参照して説明する。
【００４７】
図１１は、従来例における内部給電とリレーの状態を示すタイムチャートで、課題が発生する例を説明する図である。
【００４８】
内部給電をオンするＳ４０７の制御を行なわないと、電話電源供給部２１５からの給電が停止しているので、Ｈリレー２１４をオンした時はハンドセットに直流電圧が印加されない状態となり、オフフック検出部２１６の電流は遮断される。そして図１１の１１００で示すように、ユーザはハンドセットを置いていないのに、ＣＰＵはユーザがハンドセットを置いたと誤認する。ハンドセットのオンフックの判定はこの間でも行われているため、オンフックしたと見なされて、ＣＰＵはダイヤルキャンセルを行い、モデムによる回線捕捉を終了して、ハンドセットを電話回線に接続するためにＨリレー２１４をオフに戻さない。そして一旦、スタンバイ状態に戻った後でもユーザはハンドセットを置いていないので、ハンドセットは電話回線を捕捉するが、ダイヤルキャンセルされているため所望の相手とは通話できないという課題が発生する。
【００４９】
これに対して実施形態１では、Ｓ４０７の制御を実施することで上記課題を解決することができる。実施形態１ではＳ４０７で内部給電がオンされているので、Ｓ４１３でＨリレー２１４がオンされてハンドセット１０９が回線から遮断されても、ハンドセット１０９に直流電圧が印加され続けるため、オフフック検出部２１６の電流は遮断されない。これにより上述したようなオンフックの誤認は起こらないため、ユーザは所望の相手と通話できる。
【００５０】
再び図４に戻り、Ｓ４１５でＣＰＵ２２０は、モデム２１１によるダイヤル信号送出処理を行う。ＣＰＵ２２０は、モデム２１１を制御し、指示された電話番号に対応するＤＴＭＦ信号を所定の送出レベルで送出する。尚、トーンでなくパルス設定の場合、ＣＰＵ２２０は、モデム２１１を制御し、指示された電話番号に対応するダイヤルパルス信号を所定のタイミングで送出する。ダイヤルパルス信号は直流捕捉と直流解放を所定のタイミングで実施することで送出する。次にＳ４１６に進みＣＰＵ２２０は、Ｈリレー２１４をオフする処理を行う。これは、ユーザが持ち上げたハンドセット１０９を電話回線１０８に再度接続して、ユーザが通話できるようにするためである。そしてＳ４１７へ進みＣＰＵ２２０は、モデム２１１による回線捕捉を終了させる。これはユーザが持ち上げたハンドセット１０９が回線捕捉をしているので、モデム２１１による回線捕捉は必要ないためである。そしてＣＰＵ２２０の処理はＳ４０８に戻る。Ｓ４１８でＣＰＵ２２０は、一連の処理を終了させる。そして再度スタンバイ状態へ移行するため、ＣＰＵ２２０はＳ４０１に移行する。
【００５１】
以上の図４に示すフローチャートに従って処理すると、内部給電やリレーなどの状態は図７に示すタイムチャートのように遷移し、課題は発生しない。
【００５２】
図７は、実施形態１に係る複合機１０１における、内部給電とリレーの状態を説明するタイムチャートである。
【００５３】
実施形態１の処理を行うことにより、スタンバイ時、内部給電がオフの設定で、かつ鳴動設定のときに、オフフックを検出するとＳ４０７で内部給電設定がオフであっても、内部給電をオンにする。これによりハンドセット１０９を持ち上げて操作部１０３からダイヤル操作する場合でも、内部給電の設定を変更せずに、相手と通話可能なファクシミリ機能を提供できる。
【００５４】
［実施形態２］
実施形態２では図３に示すスタンバイ時、内部給電がオフの設定で、かつ鳴動設定の場合、つまりＨリレー２１４をオフ、電話電源供給部２１５をオフしているときのＣＰＵ２２０の制御について説明する。尚、実施形態２に係る複合機１０１のハードウェア構成等は前述の実施形態１と同様であるため、その説明を省略する。
【００５５】
スタンバイ時、内部給電がオフの設定で、かつ鳴動設定で、ユーザがハンドセット１０９持ち上げて発呼した場合、ＣＰＵ２２０が行う実施形態２の制御手順を図５のフローチャートで説明する。
【００５６】
図５は、実施形態２に係る複合機１０１がスタンバイ時、内部給電がオフの設定で、かつ鳴動設定のときの処理を説明するフローチャートである。尚、このフローチャートで示す処理は、ＣＰＵ２２０がＲＯＭ２２１或いはＨＤＤ２０２に格納されているプログラムをＲＡＭ２２２に展開して実行することにより達成される。
【００５７】
まず、複合機１０１は電源オンされて、起動時の初期化が行われた状態とする。ＣＰＵ２２０の処理はＳ５０１に移行し処理を開始する。Ｓ５０１〜Ｓ５０６の処理は、前述の図４のＳ４０１〜Ｓ４０６の処理と同じなので、その説明を省略する。
【００５８】
Ｓ５０７は、実施形態２の特徴となる処理であり、ＣＰＵ２２０は、内部給電設定を変更するように促す画面を表示する。Ｓ５０７は、実施形態１のＳ４０７を実施しない複合機１０１で代わりに行う代替処理である。
【００５９】
実施形態１で説明したように、内部給電設定がオフの場合、ハンドセット１０９を接続して、オフフックした後に操作部１０３からダイヤル操作すると、途中で回線電流が一旦切断されてしまい、相手と通話できなくなる。そこでＳ５０７でＣＰＵ２２０は、スタンバイ時に、ハードセット１０９がオフフックされたと検知すると、操作部１０３の画面に注意を喚起する画面を表示する。この画面では、「テンキーダイヤルを行う場合、内部給電設定を「しない」（オフ）→「する」（オン）へ変更してください」と表示してユーザに内部給電の設定変更を促す。
【００６０】
またその後、操作部１０３の画面を自動的に図１２に示す設定画面に遷移させ、ユーザに内部給電設定を「する」に設定して保存するよう促す構成としても良い。また或いは操作部１０３の画面に「テンキーダイヤルを行う場合、内部給電設定を「しない」→「する」へ変更する必要があります。変更しますか？」と表示して、ユーザに「はい」「いいえ」のいずれかを選択させる構成としても良い。ここでユーザが「はい」を選択するとＣＰＵ２２０は、内部給電設定を「する」に設定して保存する。一方、ユーザが「いいえ」を選択すると、内部給電設定を変更しない。そしてＣＰＵ２２０の処理はＳ５０８に進み、ＣＰＵ２２０は終了処理を行う。いまユーザが、ハンドセット１０９を置いて（オンフックして）ダイヤルをキャンセルした場合、操作部１０３の表示をスタンバイ状態に戻す。処理が終了するとスタンバイ状態に戻るためにＣＰＵ２２０の処理はＳ５０９へ移行する。Ｓ５０９でＣＰＵ２２０は、一連の処理を終了させる。そして再度スタンバイ状態へ移行するため、ＣＰＵ２２０はＳ５０１に処理を進める。Ｓ５０７でユーザが内部給電設定を「しない」から「する」に設定して保存すると、次のＳ５０２では内部給電が「する」設定されているため、課題は発生しない。
【００６１】
図８は、実施形態２に係る複合機１０１において、Ｓ５０７で表示される注意画面例を説明する図である。
【００６２】
８００は、テンキーを使用してダイヤルする場合、内部給電設定を「しない」→「する」へ変更する必要があるため、その変更を促す画面例を示す。８０１は、別の注意画面例を示し、ここではＦＡＸ設定で、内部給電設定を「しない」か、「する」かラジオボタンで選択して各隊ボタンを押下することで選択できる。８０３は、テンキーを使用してダイヤルする場合、内部給電設定を「しない」→「する」へ変更する必要があるため、その変更するか否を「はい」か「いいえ」で選択できる画面例を示す。
【００６３】
以上説明したように実施形態２によれば、内部給電設定をオフ、Ｈリレーをオフにして消費電力を削減する鳴動待機の際、ユーザがハンドセットを持ち上げた時に操作部１０３に内部給電設定を変更するように促す表示を行うことができる。これによりユーザに対して、内部給電の設定を変更しないと、ユーザの意図通り動作しないことを警告できる。
【００６４】
また自動的に、内部給電の設定画面例に遷移することで、わかりやすいユーザインタフェースを提供する。
【００６５】
またユーザに対して内部給電の設定を変更するか否かを問い合わせ、ユーザの指示に応じて、その設定を変更できることで、ユーザにとって分かり易いユーザインタフェースを提供できる。
【００６６】
こうして消費電力を削減する鳴動待機の際でも、内部給電を「しない」から「する」に変更して保存することで、ユーザがハンドセットを持ち上げた後にダイヤルを操作した場合でも、相手と通話可能な複合機を提供できる。
【００６７】
［実施形態３］
実施形態３では、図３に示すスタンバイ時、内部給電をしない設定で、かつ鳴動設定、つまりＨリレー２１４をオフ、電話電源供給部２１５をオフしている時のＣＰＵ２２０の制御について説明する。スタンバイ時、内部給電をしない設定で、かつ鳴動設定でハンドセットを持ち上げて発呼した場合、ＣＰＵ２２０が行う実施形態３の制御手順を図６のフローチャートで説明する。尚、実施形態３に係る複合機１０１のハードウェア構成等は、前述の実施形態１と同様であるため、その説明を省略する。
【００６８】
図６は、実施形態３に係る複合機１０１がスタンバイ時、内部給電がオフの設定で、かつ鳴動設定のときの処理を説明するフローチャートである。尚、このフローチャートで示す処理は、ＣＰＵ２２０がＲＯＭ２２１或いはＨＤＤ２０２に格納されているプログラムをＲＡＭ２２２に展開して実行することにより達成される。図６のＳ６０１〜６０６の処理は、前述の図４のＳ４０１〜４０６の処理と同じなので、その説明を省略する。
【００６９】
Ｓ６０７は、実施形態３で特徴となる処理であり、ＣＰＵ２２０は、内部給電設定値を自動的に「する」へ変更してＨＤＤ２０２或いは画像処理部２０１の内部フラッシュメモリへ保存する。実施形態１で説明したように内部給電設定がオフの場合、ハンドセットを接続して、持ち上げ後に操作部からダイヤル操作すると途中で回線電流が一旦切断されてしまい、相手と通話できなくなる。従ってＳ６０７でＣＰＵ２２０は、操作部１０３の画面に「内部給電設定を「する」に変更しました」と表示してユーザに設定値を自動的に変更したことを通知する。そしてＣＰＵ２２０はＳ６０８へ処理を進める。
【００７０】
Ｓ６０８でＣＰＵ２２０は、内部給電設定値の変更に応じて内部給電をオンする制御を行い、テンキーダイヤル画面を表示する。具体的には、ＣＰＵ２２０はポート制御部２１３を制御し、電話電源供給部２１５から直流２４Ｖの給電を開始する。そして直流電圧が安定した後、ハンドセットのオフフック（持ち上げ）を検出できる。そして操作部１０３に「電話番号を入力して下さい」とテンキーダイヤル画面を表示しユーザに電話番号の入力を促す。これによりユーザは、操作部１０３のテンキーやタッチパネルを用いて、電話番号を入力することができる。そしてＣＰＵ２２０の処理はＳ６０９へ移行する。Ｓ６０９ではＳ４０８と同じ処理が行われるため説明を省略する。またＳ６１０〜Ｓ６１７の処理は、前述の図４のＳ４１０〜Ｓ４１７と同じ処理であるため、その説明を省略する。
【００７１】
図９は、実施形態３に係る複合機における、内部給電とリレーの状態を説明するタイムチャートである。図９に示すように、ハンドセット１０９のオフフックが検出されると９００で、内部給電設定を自動的に「する」に変更して保存するため、後続の処理で内部給電がオンに変更される。これにより、ハンドセットのオフフック（持ち上げ）を検出でき、かつ操作部１０３に「電話番号を入力して下さい」とテンキーダイヤル画面を表示してユーザのダイヤル入力が可能になる。
【００７２】
以上説明したように実施形態３によれば、内部給電をオフ、Ｈリレーをオフ、として消費電力を削減する鳴動待機の場合に、ユーザがハンドセットを持ち上げると、自動的に内部給電設定をオンに変更して、操作部に通知を表示する。このように、自動的に内部給電の設定を「しない」から「する」へ変更することにより、消費電力を削減する鳴動待機でハンドセットを持ち上げてダイヤル操作した場合でも、相手と通話可能な複合機を提供できる。
【００７３】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００７４】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００７５】
１０１…複合機、１０２…コントローラ部、１０３…操作部、１０７…ファクシミリユニット、１０８…電話回線、１０９…ハンドセット、２０１…画像処理部、２１１…モデム、２１４…Ｈリレー、２１５…電話電源供給部、２１６…オフフック検出部、２２０…ＣＰＵ
【図１】
2019047347.tif 000003
【図２】
2019047347.tif 000004
【図３】
2019047347.tif 000005
【図４】
2019047347.tif 000006
【図５】
2019047347.tif 000007
【図６】
2019047347.tif 000008
【図７】
2019047347.tif 000009
【図８】
2019047347.tif 000010
【図９】
2019047347.tif 000011
【図１０】
2019047347.tif 000012
【図１１】
2019047347.tif 000013
【図１２】
2019047347.tif 000014